(57)【要約】【課題】現像装置の軸方向全体における現像剤の状態を効率よく均一化させることが可能な現像装置および画像形成装置を提供する。【解決手段】現像装置は、現像剤を担持する現像剤担持体と、現像剤担持体に供給される現像剤を収容し、現像剤担持体の軸方向における一方側の第１領域と、他方側の第２領域とを有する現像剤筐体と、第１領域および第２領域の現像剤の状態に応じて、第１領域および第２領域のそれぞれにおいて現像剤循環路を形成させる第１状態と、第１領域および第２領域全体で１つの現像剤循環路を形成させる第２状態との間で現像剤循環状態を切り替える制御を行う制御部と、を備える。【選択図】図１６
2018063366.tif 000002
【特許請求の範囲】
【請求項１】
現像剤を担持する現像剤担持体と、
前記現像剤担持体に供給される前記現像剤を収容し、前記現像剤担持体の軸方向における一方側の第１領域と、他方側の第２領域とを有する現像剤筐体と、
前記第１領域および前記第２領域の前記現像剤の状態に応じて、前記第１領域および前記第２領域のそれぞれにおいて現像剤循環路を形成させる第１状態と、前記第１領域および前記第２領域全体で１つの現像剤循環路を形成させる第２状態との間で現像剤循環状態を切り替える制御を行う制御部と、
を備える現像装置。
【請求項２】
前記第２状態における前記現像剤循環路は、環状に形成される、
請求項１に記載の現像装置。
【請求項３】
前記現像剤筐体内のトナーの濃度を検出するトナー濃度検出部を備え、
前記制御部は、前記現像剤循環状態が前記第２状態である場合、前記トナー濃度検出部により検出された、前記第１領域および前記第２領域におけるトナー濃度の差分に応じて、前記第２状態から前記第１状態にするか否かについて決定する、
請求項１または請求項２に記載の現像装置。
【請求項４】
前記現像剤筐体にトナーを補給するトナー補給部を備え、
前記制御部は、前記現像剤循環状態を前記第２状態から前記第１状態に切り替えた場合、前記第１領域および前記第２領域のうちトナー消費量が多い方の領域におけるトナー補給量を増大させるように前記トナー補給部を制御する、
請求項３に記載の現像装置。
【請求項５】
前記現像剤筐体内における現像剤の液面の高さを検出する液面高さ検出部を備え、
前記制御部は、前記現像剤循環状態が前記第１状態である場合、前記液面高さ検出部により検出された、前記第１領域および前記第２領域における液面高さの差分に応じて、前記第１状態から前記第２状態に切り替えるか否かについて決定する、
請求項１〜４の何れか１項に記載の現像装置。
【請求項６】
前記制御部は、前記第１領域から前記現像剤担持体に供給される現像剤量と、前記第２領域から前記現像剤担持体に供給される現像剤量との差分に応じて、前記第１状態と前記第２状態との間で前記現像剤循環状態を切り替える、
請求項１〜５の何れか１項に記載の現像装置。
【請求項７】
回転することにより前記現像剤筐体の前記第１領域内で現像剤を撹拌する第１撹拌部と、
回転することにより前記現像剤筐体の前記第２領域内で現像剤を撹拌する第２撹拌部と、
を備え、
前記制御部は、前記現像剤循環状態が前記第１状態である場合、前記第１領域内における現像剤の循環方向と、前記第２領域内における現像剤の循環方向とが異なるように前記第１撹拌部および前記第２撹拌部の回転方向を制御する、
請求項１〜６の何れか１項に記載の現像装置。
【請求項８】
前記制御部は、前記現像剤循環状態を前記第１状態から前記第２状態に切り替える場合、前記第１撹拌部および前記第２撹拌部の何れか一方の回転方向を変更する、
請求項７に記載の現像装置。
【請求項９】
回転することにより前記現像剤筐体の前記第１領域内で現像剤を撹拌する第１撹拌部と、
回転することにより前記現像剤筐体の前記第２領域内で現像剤を撹拌する第２撹拌部と、
を備え、
前記制御部は、前記現像剤循環状態が前記第１状態である場合、前記第１領域内における現像剤の循環方向と、前記第２領域内における現像剤の循環方向とが同じになるように前記第１撹拌部および前記第２撹拌部の回転方向を制御する、
請求項１〜６の何れか１項に記載の現像装置。
【請求項１０】
前記制御部は、前記第１撹拌部および前記第２撹拌部の回転数を制御する、
請求項７〜９の何れか１項に記載の現像装置。
【請求項１１】
前記第１領域と、前記第２領域との連通または非連通状態を切り替える連通状態切替部を備え、
前記制御部は、前記連通状態切替部を制御して前記第１領域と前記第２領域との連通または非連通状態を切り替えることにより、前記第１状態と前記第２状態との間で現像剤循環状態を切り替える、
請求項１〜１０の何れか１項に記載の現像装置。
【請求項１２】
回転することにより前記現像剤筐体の前記第１領域内で現像剤を撹拌する第１撹拌部と、
回転することにより前記現像剤筐体の前記第２領域内で現像剤を撹拌する第２撹拌部と、
前記現像剤筐体内の現像剤を排出する現像剤排出部と、
を備え、
前記制御部は、前記現像剤循環状態が前記第２状態である場合、前記現像剤が前記現像剤排出部に向かって移動するように前記第１撹拌部および前記第２撹拌部を制御する、
請求項１〜１１の何れか１項に記載の現像装置。
【請求項１３】
現像剤を担持する現像剤担持体と、
前記現像剤担持体に供給される前記現像剤を収容し、前記現像剤担持体の軸方向における一方側の第１領域と、他方側の第２領域とを有する現像剤筐体と、
前記第１領域および前記第２領域の前記現像剤の状態に応じて、前記第１領域および前記第２領域のそれぞれにおいて現像剤循環路を形成させる第１状態と、前記第１領域および前記第２領域全体で１つの現像剤循環路を形成させる第２状態との間で現像剤循環状態を切り替える制御を行う制御部と、
を備える画像形成装置。
【発明の詳細な説明】
【技術分野】
【０００１】
本発明は、現像装置および画像形成装置に関する。
【背景技術】
【０００２】
一般に、電子写真プロセス技術を利用した画像形成装置（プリンター、複写機、ファクシミリ等）は、帯電した感光体ドラム（像担持体）に対して、画像データに基づくレーザー光を照射（露光）することにより静電潜像を形成する。そして、静電潜像が形成された感光体ドラムへ現像装置よりトナーを供給することにより静電潜像を可視化してトナー像を形成する。さらに、このトナー像を直接または間接的に用紙に転写させた後、定着ニップで加熱、加圧して定着させることにより用紙にトナー像を形成する。
【０００３】
現像装置には、現像装置内の現像剤を撹拌するための撹拌部材が設けられている。撹拌部材においては現像スリーブの軸方向において現像剤が移動するように現像剤を撹拌する構成が知られている。このような構成において、例えば、Ｂ１サイズ等、軸方向に長い用紙に対応するため現像装置を大サイズ化した場合、現像剤の移動方向の上流側からトナーが混ざり合っていくため、軸方向におけるトナー濃度の偏差が大きくなりやすい問題が生じる。
【０００４】
この問題に対応するため、例えば特許文献１には、現像装置内の軸方向における一方側および他方側半分の領域のそれぞれにおいて現像剤を循環させる構成が開示されている。図１は、従来例における現像装置を簡易的に示す図である。
【０００５】
図１に示すように、現像装置４１２は、現像スリーブ４１２Ａと、現像剤筐体４１２Ｂとを有している。現像剤筐体４１２Ｂには、現像剤筐体４１２Ｂ内の現像剤を撹拌する第１撹拌部材４１２Ｃおよび第２撹拌部材４１２Ｄを有している。
【０００６】
第１撹拌部材４１２Ｃおよび第２撹拌部材４１２Ｄのそれぞれは、現像スリーブ４１２Ａの軸方向の中央部に対して、一方側の第１領域Ｂ１と、他方側の第２領域Ｂ２とで羽の向きが逆になるように構成されている。第１撹拌部材４１２Ｃおよび第２撹拌部材４１２Ｄが回転することで、第１領域Ｂ１および第２領域Ｂ２のそれぞれを現像剤が矢印Ｂ１０，Ｂ２０の流れに沿って循環する。
【０００７】
また、特許文献２には、第１領域Ｂ１と第２領域Ｂ２の境界において、現像剤を第１領域Ｂ１および第２領域Ｂ２の両側に積極的に現像剤を流すことにより、第１領域Ｂ１と第２領域Ｂ２とでトナー濃度に差が生じることを抑制可能な構成が開示されている。
【先行技術文献】
【特許文献】
【０００８】
【特許文献１】実公昭５０−２７３３３号公報
【特許文献２】特開平３−２６０６７８号公報
【発明の概要】
【発明が解決しようとする課題】
【０００９】
しかしながら、特許文献１に示す構成では、例えば第１領域Ｂ１および第２領域Ｂ２の何れか一方に対応する部分の方が他方に対応する部分よりも極端にトナー量が多い画像を連続で形成した場合、一方に対応する部分におけるトナー濃度のみが極端に低下するという問題が生じる。
【００１０】
また、特許文献２に記載の構成では、上記画像を連続で形成した場合、第１領域Ｂ１および第２領域Ｂ２の何れか一方のトナー濃度が極端に低下するため、一方のトナー濃度の低下に起因して他方のトナー濃度が低下する。これにより、上記画像の画像形成処理の初期から現像装置全体でトナー濃度が低下してしまうので、トナー濃度が現像装置全体で回復するのに時間がかかってしまう。
【００１１】
また、第１領域Ｂ１と第２領域Ｂ２とを仕切りで仕切った場合、帯電不良が発生した際におけるキャリアーの消費量や、低カバレッジの画像を連続で形成した際において発生する現像剤の劣化量が第１領域Ｂ１と第２領域Ｂ２においてそれぞれ異なる。そのため、現像装置の軸方向全体において第１領域Ｂ１および第２領域Ｂ２の現像剤の状態（現像剤量の偏差や現像剤の劣化量）を均一化させることが困難である。
【００１２】
本発明の目的は、現像装置の軸方向全体における現像剤の状態を効率よく均一化させることが可能な現像装置および画像形成装置を提供することである。
【課題を解決するための手段】
【００１３】
本発明に係る現像装置は、
現像剤を担持する現像剤担持体と、
前記現像剤担持体に供給される前記現像剤を収容し、前記現像剤担持体の軸方向における一方側の第１領域と、他方側の第２領域とを有する現像剤筐体と、
前記第１領域および前記第２領域の前記現像剤の状態に応じて、前記第１領域および前記第２領域のそれぞれにおいて現像剤循環路を形成させる第１状態と、前記第１領域および前記第２領域全体で１つの現像剤循環路を形成させる第２状態との間で現像剤循環状態を切り替える制御を行う制御部と、
を備える。
【００１４】
本発明に係る画像形成装置は、
現像剤を担持する現像剤担持体と、
前記現像剤担持体に供給される前記現像剤を収容し、前記現像剤担持体の軸方向における一方側の第１領域と、他方側の第２領域とを有する現像剤筐体と、
前記第１領域および前記第２領域の前記現像剤の状態に応じて、前記第１領域および前記第２領域のそれぞれにおいて現像剤循環路を形成させる第１状態と、前記第１領域および前記第２領域全体で１つの現像剤循環路を形成させる第２状態との間で現像剤循環状態を切り替える制御を行う制御部と、
を備える。
【発明の効果】
【００１５】
本発明によれば、現像装置の軸方向全体における現像剤の状態を効率よく均一化させることができる。
【図面の簡単な説明】
【００１６】
【図１】従来例における現像装置を簡易的に示す図である。
【図２】本実施の形態に係る画像形成装置の全体構成を概略的に示す図である。
【図３】本実施の形態に係る画像形成装置の制御系の主要部を示す図である。
【図４】現像装置を上から見た図であって、開閉部を閉鎖状態としたときの図である。
【図５】現像装置を上から見た図であって、開閉部を開放状態としたときの図である。
【図６】開閉部を閉鎖状態としたときを示す図である。
【図７】開閉部の動作を示す図である。
【図８】開閉部の動作を示す図である。
【図９】開閉部を開放状態としたときを示す図である。
【図１０】現像剤筐体内の現像剤の様子を簡易的に示す図である。
【図１１】第１領域に対応する部分と第２領域に対応する部分とでカバレッジ差の大きいトナー像が形成された用紙を示す図である。
【図１２】現像剤筐体内の軸方向におけるトナーの帯電量を示す図である。
【図１３】現像剤筐体内の軸方向におけるトナー濃度を示す図である。
【図１４】現像剤筐体内の軸方向におけるトナー濃度を示す図である。
【図１５】現像剤筐体内の開閉部部分を簡易的に示す斜視図である。
【図１６】画像形成装置における現像剤循環状態切替制御の動作例の一例を示すフローチャートである。
【図１７】第１変形例に係る開閉部を示す図である。
【図１８】第１変形例に係る現像剤筐体内の開閉部部分を簡易的に示す斜視図である。
【図１９】第２変形例に係る現像剤筐体内の開閉部部分を簡易的に示す斜視図である。
【図２０】第３変形例に係る現像剤筐体内の開閉部部分を簡易的に示す斜視図である。
【図２１】第４変形例に係る現像装置を上から見た図である。
【図２２】第４変形例に係る現像装置を上から見た図である。
【図２３】第５変形例に係る現像装置を上から見た図である。
【図２４】第５変形例に係る現像装置を上から見た図である。
【発明を実施するための形態】
【００１７】
以下、本実施の形態を図面に基づいて詳細に説明する。図２は、本実施の形態に係る画像形成装置１の全体構成を概略的に示す図である。図３は、本実施の形態に係る画像形成装置１の制御系の主要部を示す図である。
【００１８】
図２、３に示す画像形成装置１は、電子写真プロセス技術を利用した中間転写方式のカラー画像形成装置である。すなわち、画像形成装置１は、感光体ドラム４１３上に形成されたＹ（イエロー）、Ｍ（マゼンタ）、Ｃ（シアン）、Ｋ（ブラック）の各色トナー像を中間転写ベルト４２１に一次転写し、中間転写ベルト４２１上で４色のトナー像を重ね合わせた後、用紙Ｓに二次転写することにより、画像を形成する。
【００１９】
また、画像形成装置１には、ＹＭＣＫの４色に対応する感光体ドラム４１３を中間転写ベルト４２１の走行方向に直列配置し、中間転写ベルト４２１に一回の手順で各色トナー像を順次転写させるタンデム方式が採用されている。
【００２０】
画像形成装置１は、画像読取部１０、操作表示部２０、画像処理部３０、画像形成部４０、用紙搬送部５０、定着部６０および制御部１００を備える。
【００２１】
制御部１００は、ＣＰＵ（Central Processing Unit）１０１、ＲＯＭ（Read Only Memory）１０２、ＲＡＭ（Random Access Memory）１０３等を備える。ＣＰＵ１０１は、ＲＯＭ１０２から処理内容に応じたプログラムを読み出してＲＡＭ１０３に展開し、展開したプログラムと協働して画像形成装置１の各ブロックの動作を集中制御する。このとき、記憶部７２に格納されている各種データが参照される。記憶部７２は、例えば不揮発性の半導体メモリ（いわゆるフラッシュメモリ）やハードディスクドライブで構成される。
【００２２】
制御部１００は、通信部７１を介して、ＬＡＮ（Local Area Network）、ＷＡＮ（Wide Area Network）等の通信ネットワークに接続された外部の装置（例えばパーソナルコンピューター）との間で各種データの送受信を行う。制御部１００は、例えば、外部の装置から送信された画像データ（入力画像データ）を受信し、この画像データに基づいて用紙Ｓに画像を形成させる。通信部７１は、例えばＬＡＮカード等の通信制御カードで構成される。
【００２３】
画像読取部１０は、ＡＤＦ（Auto Document Feeder）と称される自動原稿給紙装置１１および原稿画像走査装置１２（スキャナー）等を備えて構成される。
【００２４】
自動原稿給紙装置１１は、原稿トレイに載置された原稿Ｄを搬送機構により搬送して原稿画像走査装置１２へ送り出す。自動原稿給紙装置１１により、原稿トレイに載置された多数枚の原稿Ｄの画像（両面を含む）を連続して一挙に読み取ることが可能となる。
【００２５】
原稿画像走査装置１２は、自動原稿給紙装置１１からコンタクトガラス上に搬送された原稿またはコンタクトガラス上に載置された原稿を光学的に走査し、原稿からの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００２６】
操作表示部２０は、例えばタッチパネル付の液晶ディスプレイ（ＬＣＤ：Liquid Crystal Display）で構成され、表示部２１および操作部２２として機能する。表示部２１は、制御部１００から入力される表示制御信号に従って、各種操作画面、画像の状態、各機能の動作状況、画像形成装置１の内部の情報等の表示を行う。操作部２２は、テンキー、スタートキー等の各種操作キーを備え、ユーザーによる各種入力操作を受け付けて、操作信号を制御部１００に出力する。
【００２７】
画像処理部３０は、入力画像データに対して、初期設定またはユーザー設定に応じたデジタル画像処理を行う回路等を備える。例えば、画像処理部３０は、制御部１００の制御下で、階調補正データ（階調補正テーブル）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２８】
画像形成部４０は、入力画像データに基づいて、Ｙ成分、Ｍ成分、Ｃ成分、Ｋ成分の各有色トナーによる画像を形成するための画像形成ユニット４１Ｙ、４１Ｍ、４１Ｃ、４１Ｋ、中間転写ユニット４２等を備える。
【００２９】
Ｙ成分、Ｍ成分、Ｃ成分、Ｋ成分用の画像形成ユニット４１Ｙ、４１Ｍ、４１Ｃ、４１Ｋは、同様の構成を有する。図示および説明の便宜上、共通する構成要素は同一の符号で示し、それぞれを区別する場合には符号にＹ、Ｍ、Ｃ、またはＫを添えて示すこととする。図２では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００３０】
画像形成ユニット４１は、露光装置４１１、現像装置２００、感光体ドラム４１３、帯電装置４１４、およびドラムクリーニング装置４１５等を備える。
【００３１】
感光体ドラム４１３は、例えばアルミニウム製の導電性円筒体（アルミ素管）の周面に、アンダーコート層（ＵＣＬ：Under Coat Layer）、電荷発生層（ＣＧＬ：Charge Generation Layer）、電荷輸送層（ＣＴＬ：Charge Transport Layer）を順次積層した負帯電型の有機感光体（ＯＰＣ：Organic Photo-conductor）である。
【００３２】
帯電装置４１４は、コロナ放電を発生させることにより、光導電性を有する感光体ドラム４１３の表面を一様に負極性に帯電させる。
【００３３】
露光装置４１１は、例えば半導体レーザーで構成され、感光体ドラム４１３に対して各色成分の画像に対応するレーザー光を照射する。感光体ドラム４１３の電荷発生層で正電荷が発生し、電荷輸送層の表面まで輸送されることにより、感光体ドラム４１３の表面電荷（負電荷）が中和される。感光体ドラム４１３の表面には、周囲との電位差により各色成分の静電潜像が形成される。
【００３４】
現像装置２００は、二成分逆転方式の現像装置であり、感光体ドラム４１３の表面に各色成分のトナーを付着させることにより静電潜像を可視化してトナー像を形成する。現像装置２００は、現像剤に含まれるトナーを感光体ドラム４１３に供給することによって感光体ドラム４１３の表面にトナー像を形成する。
【００３５】
ドラムクリーニング装置４１５は、感光体ドラム４１３の表面に摺接されるドラムクリーニングブレード等を有し、一次転写後に感光体ドラム４１３の表面に残存する転写残トナーを除去する。
【００３６】
中間転写ユニット４２は、中間転写ベルト４２１、一次転写ローラー４２２、複数の支持ローラー４２３、二次転写ローラー４２４およびベルトクリーニング装置４２６等を備える。
【００３７】
中間転写ベルト４２１は、無端状ベルトで構成され、複数の支持ローラー４２３にループ状に張架される。複数の支持ローラー４２３のうちの少なくとも一つは駆動ローラーで構成され、その他は従動ローラーで構成される。駆動ローラーが回転することにより、中間転写ベルト４２１はＡ方向に一定速度で走行する。中間転写ベルト４２１は、導電性および弾性を有するベルトであり、制御部１００からの制御信号によって回転駆動される。
【００３８】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップが形成される。
【００３９】
二次転写ローラー４２４は、駆動ローラー４２３Ａのベルト走行方向下流側に配置されるバックアップローラー４２３Ｂに対向して、中間転写ベルト４２１の外周面側に配置される。中間転写ベルト４２１を挟んで、二次転写ローラー４２４がバックアップローラー４２３Ｂに圧接されることにより、中間転写ベルト４２１から用紙Ｓへトナー像を転写するための二次転写ニップが形成される。
【００４０】
ベルトクリーニング装置４２６は、二次転写後に中間転写ベルト４２１の表面に残留する転写残トナーを除去する。
【００４１】
一次転写ニップを中間転写ベルト４２１が通過する際、感光体ドラム４１３上のトナー像が中間転写ベルト４２１に順次重ねて一次転写される。具体的には、一次転写ローラー４２２に一次転写バイアスを印加し、中間転写ベルト４２１の裏面側、つまり、一次転写ローラー４２２と当接する側にトナーと逆極性の電荷を付与することにより、トナー像は中間転写ベルト４２１に静電的に転写される。
【００４２】
その後、用紙Ｓが二次転写ニップを通過する際、中間転写ベルト４２１上のトナー像が用紙Ｓに二次転写される。具体的には、バックアップローラー４２３Ｂに二次転写バイアスを印加し、用紙Ｓの表面側、つまり、中間転写ベルト４２１と当接する側にトナーと同極性の電荷を付与することにより、トナー像は用紙Ｓに静電的に転写される。
【００４３】
定着部６０は、用紙Ｓの定着面であるトナー像が形成されている面側に配置される定着面側部材を有する上側定着部６０Ａ、用紙Ｓの裏面である定着面の反対の面側に配置される裏面側支持部材を有する下側定着部６０Ｂ等を備える。定着面側部材に裏面側支持部材が圧接されることにより、用紙Ｓを狭持して搬送する定着ニップが形成される。
【００４４】
定着部６０は、トナー像が二次転写され、搬送されてきた用紙Ｓを定着ニップで加熱、加圧することにより、用紙Ｓにトナー像を定着させる。
【００４５】
上側定着部６０Ａは、定着面側部材である無端状の定着ベルト６１、加熱ローラー６２および定着ローラー６３を有する。定着ベルト６１は、加熱ローラー６２と定着ローラー６３とによって張架されている。
【００４６】
下側定着部６０Ｂは、裏面側支持部材である加圧ローラー６４を有する。加圧ローラー６４は、定着ベルト６１との間で用紙Ｓを挟持して搬送する定着ニップを形成している。
【００４７】
用紙搬送部５０は、給紙部５１、排紙部５２、および搬送経路部５３等を備える。給紙部５１を構成する３つの給紙トレイユニット５１ａ〜５１ｃには、坪量やサイズ等に基づいて識別された用紙Ｓ（規格用紙、特殊用紙）が予め設定された種類毎に収容される。
【００４８】
搬送経路部５３は、レジストローラー対５３ａ等の複数の搬送ローラー対等を有する。給紙トレイユニット５１ａ〜５１ｃに収容されている用紙Ｓは、最上部から一枚ずつ送出され、搬送経路部５３により画像形成部４０に搬送される。このとき、レジストローラー対５３ａが配設されたレジストローラー部により、給紙された用紙Ｓの傾きが補正されるとともに搬送タイミングが調整される。そして、画像形成部４０において、中間転写ベルト４２１のトナー像が用紙Ｓの一方の面に一括して二次転写され、定着部６０において定着工程が施される。画像形成された用紙Ｓは、排紙ローラー５２ａを備えた排紙部５２により機外に排紙される。
【００４９】
次に、現像装置２００の詳細について説明する。図４は、現像装置２００を上から見た図であって、開閉部２４０を閉鎖状態としたときの図である。図５は、現像装置２００を上から見た図であって、開閉部２４０を開放状態としたときの図である。
【００５０】
図４および図５に示すように、現像装置２００は、Ｂ１サイズ等の軸方向に長い用紙に対応可能なサイズとなっており、現像スリーブ２１０と、現像剤筐体２２０と、現像剤排出部２３０とを有している。現像スリーブ２１０は、現像剤を担持する現像剤担持体であり、軸方向の長さが長い用紙に対応した長さとなっている。なお、本実施の形態における現像スリーブ２１０は、直径が２５ｍｍに設定されている。
【００５１】
現像剤筐体２２０は、現像スリーブ２１０に供給される現像剤を収容する。現像剤筐体２２０には、現像スリーブ２１０の軸方向における中央部に対応する部分に対して一方側の領域である第１領域２２１Ａと、現像スリーブ２１０の軸方向における中央部に対応する部分に対して他方側の領域である第２領域２２１Ｂとの間に位置する開閉部２４０が設けられている。開閉部２４０は、本発明の「連通状態切替部」に対応する。なお、本実施の形態では、現像剤筐体２２０における収容可能な現像剤量は１２００ｇである。
【００５２】
また、現像剤筐体２２０の第１領域２２１Ａおよび第２領域２２１Ｂのそれぞれには、第１撹拌部材２２２と、第２撹拌部材２２３と、トナー濃度検出部２２４と、トナー補給部２２５と、液面高さ検出部２２６とが設けられている。第１領域２２１Ａの第１撹拌部材２２２Ａおよび第２撹拌部材２２３Ａは、本発明の「第１撹拌部」に対応する。第２領域２２１Ｂの第１撹拌部材２２２Ｂおよび第２撹拌部材２２３Ｂは、本発明の「第２撹拌部」に対応する。
【００５３】
第１撹拌部材２２２は、第１領域２２１Ａおよび第２領域２２１Ｂにおける、第２撹拌部材２２３よりも現像スリーブ２１０から離れた部分に設けられている。
【００５４】
第２撹拌部材２２３は、第１領域２２１Ａおよび第２領域２２１Ｂにおける、現像スリーブ２１０に対向する部分に設けられている。
【００５５】
なお、本実施の形態における第１撹拌部材２２２および第２撹拌部材２２３は、直径が２５ｍｍに設定され、回転数が４５０ｒｐｍに設定されている。
【００５６】
また、第１領域２２１Ａおよび第２領域２２１Ｂのそれぞれにおいて、第１撹拌部材２２２の領域と第２撹拌部材２２３の領域とが、仕切り板２２７により仕切られている。仕切り板２２７に仕切られることで、第１領域２２１Ａおよび第２領域２２１Ｂにおける第１撹拌部材２２２の領域と第２撹拌部材２２３の領域は、第１撹拌部材２２２および第２撹拌部材２２３の端部に対応する部分でつながっている。
【００５７】
第１撹拌部材２２２および第２撹拌部材２２３は、後述する開閉部２４０の状態に応じて、図４における矢印Ｘ１，Ｘ２の方向、または、図５における矢印Ｘ３の方向に現像剤が移動するように、第１領域２２１Ａおよび第２領域２２１Ｂ内の現像剤を撹拌する。
【００５８】
トナー濃度検出部２２４は、第１領域２２１Ａおよび第２領域２２１Ｂのトナーの濃度を検出する。トナー補給部２２５は、第１領域２２１Ａおよび第２領域２２１Ｂのそれぞれにトナーを補給する。制御部１００は、トナー濃度検出部２２４により検出された検出結果に基づいてトナー補給部２２５におけるトナーの補給量を制御する。
【００５９】
液面高さ検出部２２６は、例えば、発光部および受光部を有するＯＮ／ＯＦＦセンサーであり、現像剤筐体２２０内における現像剤の液面の高さを検出する。例えば、液面高さ検出部２２６は、現像剤の液面の高さが高くなって液面高さ検出部２２６の検出範囲内に入ったらＯＮを出力する。また、液面高さ検出部２２６は、現像剤の液面の高さが低くなって液面高さ検出部２２６の検出範囲から外れたらＯＦＦを出力する。なお、液面高さ検出部２２６は、透磁率型のトナー濃度検出部等でも良い。
【００６０】
現像剤の液面高さは、トナーの帯電性が目標帯電量（例えば、４０μＣ／ｇ）より大きい場合、比較的高い高さとなる。これは、トナーの帯電性が良好だとトナー同士が反発し合って現像剤の嵩密度が低くなるため、現像剤の液面高さが高くなりやすいことに起因する。
【００６１】
また、現像剤の液面高さは、トナーの帯電性が目標帯電量より小さい場合、比較的低い高さとなる。これは、トナーの帯電性が劣悪だとトナー同士が反発し合わず、現像剤の嵩密度が高くなるため、現像剤の液面高さが低くなりやすいことに起因する。
【００６２】
現像剤排出部２３０は、現像剤筐体２２０内の現像剤を排出する部分であり、現像剤筐体２２０における第２領域２２１Ｂに対応する部分に設けられている。現像剤排出部２３０は、通路部２３１と、スクリュー部材２３２と、排出部２３３とを有している。
【００６３】
通路部２３１は、現像剤筐体２２０および排出部２３３と連通する部分である。スクリュー部材２３２は、通路部２３１内に配置されており、第１撹拌部材２２２と同軸となっている。スクリュー部材２３２は、回転することで通路部２３１から現像剤筐体２２０内に向けて現像剤を移動させる流れを発生させる。このスクリュー部材２３２により、現像剤筐体２２０内の現像剤は、通路部２３１内に入り込まないようになっている。
【００６４】
そして、現像剤筐体２２０内の現像剤のうち、例えばキャリアーが劣化した場合、図示しないキャリアー補給部よりキャリアーが現像剤筐体２２０内に補給され、現像剤筐体２２０に収容可能な現像剤量を超えると、現像剤が現像剤筐体２２０から通路部２３１に移動して排出部２３３から排出される。
【００６５】
次に、開閉部２４０について説明する。図６は、開閉部２４０を閉鎖状態としたときを示す図である。図７は、開閉部２４０の動作を示す図である。図８は、開閉部２４０の動作を示す図である。図９は、開閉部２４０を開放状態としたときを示す図である。
【００６６】
開閉部２４０は、第１領域２２１Ａと第２領域２２１Ｂとを開閉可能に構成されており、移動部材２４１と、軸受け部材２４２とを有している。
【００６７】
移動部材２４１は、板状部材で構成されており、第１領域２２１Ａと第２領域２２１Ｂとを閉鎖できる程度の幅に構成されている（図６も参照）。移動部材２４１は、外部の駆動が伝達されることにより、第１領域２２１Ａと第２領域２２１Ｂとを閉鎖する閉鎖状態の位置（図４の位置）と、第１領域２２１Ａと第２領域２２１Ｂとを開放する開放状態の位置（図５の位置）との間を移動する。閉鎖状態は、本発明の「非連通状態」に対応し、開放状態は、本発明の「連通状態」に対応する。
【００６８】
移動部材２４１は、閉鎖状態の位置に位置するとき（図４参照）、第１領域２２１Ａと第２領域２２１Ｂとの間における現像剤の移動を遮断する。移動部材２４１は、開放状態の位置に位置するとき（図５参照）、第１領域２２１Ａおよび第２領域２２１Ｂにおける各仕切り板２２７の間に位置する。このため、開放状態の位置に位置する移動部材２４１により、第１撹拌部材２２２に対応する領域と、第２撹拌部材２２３に対応する領域とを仕切り板２２７とともに仕切られる。
【００６９】
図６に示すように、軸受け部材２４２は、第１撹拌部材２２２および第２撹拌部材２２３の軸を受ける部分であり、現像剤筐体２２０の下壁の、第１撹拌部材２２２および第２撹拌部材２２３のそれぞれに対応する位置から突出して設けられている。
【００７０】
また、移動部材２４１の下端部には、軸受け部材２４２と係合可能な係合部２４１Ａが形成されている。軸受け部材２４２が移動部材２４１の係合部２４１Ａに係合することで、閉鎖位置のときに第１領域２２１Ａと第２領域２２１Ｂとが移動部材２４１および軸受け部材２４２により閉鎖される。
【００７１】
また、移動部材２４１の下端部には、移動部材２４１を上下に移動させるためのシャフト２４３が設けられている。シャフト２４３は、移動部材２４１の下端部から下方向に延びており、現像剤筐体２２０の底部を貫通している。シャフト２４３には、表面に螺旋状の溝が形成されている。
【００７２】
図７に示すように、現像剤筐体２２０の底部におけるシャフト２４３に対応する位置には、シャフト２４３の溝に係合する係合部材２４４が設けられている。係合部材２４４は、現像剤筐体２２０の底部から上方向に延びており、移動部材２４１が最も下の位置に位置するとき、移動部材２４１の内部に位置している。シャフト２４３が矢印Ｈ１の方向に回転すると、螺旋状の溝によって移動部材２４１が上方向に移動する。
【００７３】
また、移動部材２４１は、シャフト２４３とは独立して回転可能に構成されており、シャフト２４３が回転している際、シャフト２４３の回転につられることなく、上下に移動する。図８に示すように、移動部材２４１が最も上の位置に達した後、制御部１００の制御により、移動部材２４１は、矢印Ｈ２の方向に９０°回転する。これにより、開放状態の位置および閉鎖状態の位置に対応した向きに移動部材２４１の向きを変えることができる。
【００７４】
そして、図９に示すように、移動部材２４１の向きを変えた後、シャフト２４３が矢印Ｈ３の方向に回転すると、螺旋状の溝によって移動部材２４１が下方向に移動する。これにより、閉鎖状態の位置から開放状態の位置に移動部材２４１を移動させることができる。
【００７５】
また、前述した第１撹拌部材２２２および第２撹拌部材２２３は、第１領域２２１Ａおよび第２領域２２１Ｂの各領域において、互いに独立して回転可能となっている。制御部１００は、移動部材２４１の位置に応じて、第１領域２２１Ａにおける第１撹拌部材２２２Ａおよび第２撹拌部材２２３と、第２領域２２１Ｂにおける第１撹拌部材２２２Ｂおよび第２撹拌部材２２３Ｂとの回転方向をそれぞれ制御する。
【００７６】
まず、移動部材２４１が閉鎖状態の位置のときにおける第１撹拌部材２２２および第２撹拌部材２２３の回転方向について説明する。
【００７７】
図４に示すように、制御部１００は、移動部材２４１が閉鎖状態の位置のとき、第１領域２２１Ａおよび第２領域２２１Ｂにおいて、現像スリーブ２１０の軸方向における内側から外側に向けて現像剤が移動するように、第１領域２２１Ａおよび第２領域２２１Ｂの第１撹拌部材２２２の回転方向を制御する。
【００７８】
制御部１００は、移動部材２４１が閉鎖状態の位置のとき、第１領域２２１Ａおよび第２領域２２１Ｂにおいて、現像スリーブ２１０の軸方向における外側から内側に向けて現像剤が移動するように、第１領域２２１Ａおよび第２領域２２１Ｂの第２撹拌部材２２３の回転方向を制御する。
【００７９】
このため、移動部材２４１が閉鎖状態の位置のとき、第１撹拌部材２２２および第２撹拌部材２２３が回転することで、第１領域２２１Ａおよび第２領域２２１Ｂ内を現像剤が矢印Ｘ１，Ｘ２の方向に移動する。
【００８０】
すなわち、現像剤筐体２２０における現像剤循環状態が、第１領域２２１Ａ内および第２領域２２１Ｂ内のそれぞれにおいて現像剤循環路が形成された第１状態となる。具体的には、現像剤循環状態が第１状態である場合、第１撹拌部材２２２Ａおよび第２撹拌部材２２３Ａにより形成される、第１領域２２１Ａ内における現像剤の循環方向（矢印Ｘ１）と、第１撹拌部材２２２Ｂおよび第２撹拌部材２２３Ｂにより形成される、第２領域２２１Ｂ内における現像剤の循環方向（矢印Ｘ２）とが異なるように制御される。
【００８１】
次に、移動部材２４１が開放状態の位置のときにおける第１撹拌部材２２２および第２撹拌部材２２３の回転方向について説明する。
【００８２】
図５に示すように、制御部１００は、移動部材２４１が開放状態の位置のとき、第１領域２２１Ａおよび第２領域２２１Ｂにおける第１撹拌部材２２２に対応する領域において、現像剤の移動方向が同じ方向となるように第１撹拌部材２２２の回転方向を制御する。図５の例では、現像剤の移動方向が左側から右側に向かう方向になるように第１撹拌部材２２２の回転方向が制御されている。つまり、第１領域２２１Ａの第１撹拌部材２２２Ａの回転方向が、第１状態と第２状態とで変更される。
【００８３】
このため、移動部材２４１が開放状態の位置のとき、第１撹拌部材２２２および第２撹拌部材２２３が回転することで、第１領域２２１Ａおよび第２領域２２１Ｂ内を現像剤が矢印Ｘ３の方向に移動する。
【００８４】
すなわち、現像剤筐体２２０における現像剤循環状態が、第１領域２２１Ａと第２領域２２１Ｂ全体で１つの現像剤循環路が形成された第２状態となる。具体的には、現像剤循環状態が第２状態である場合、第１領域２２１Ａおよび第２領域２２１Ｂ全体において、環状の現像剤循環路（矢印Ｘ３）が形成される。
【００８５】
なお、現像剤を矢印Ｘ３の方向とは反対側の方向に移動させる場合、第２領域２２１Ｂの第１撹拌部材２２２Ｂおよび第２撹拌部材２２３Ｂの回転方向を、第１状態と第２状態とで変更すればよい。
【００８６】
ところで、図１０Ａに示すように、現像剤循環状態が第１状態のとき、現像剤筐体２２０における第１領域２２１Ａと第２領域２２１Ｂとで現像剤の嵩密度に差が生じた場合、第１領域２２１Ａと第２領域２２１Ｂとを開放した際に、隣の領域に現像剤を渡す機構がないため、隣の領域に現像剤が移動しにくい。そのため、第１領域２２１Ａおよび第２領域２２１Ｂにおいて全ての現像剤が均一に混ざるには時間がかかる。
【００８７】
また、第１領域２２１Ａと第２領域２２１Ｂとで現像剤の嵩密度に差が生じた場合、嵩密度の高い方の現像剤Ｔ１が嵩密度の低い方の現像剤Ｔ２の方に一方的に流れ込むので、現像剤の嵩密度の低い方の領域（図１０Ａでは、第１領域２２１Ａ）側において現像剤が二層化してしまう場合も起こり得る。
【００８８】
そこで、本実施の形態では、制御部１００は、第１領域２２１Ａおよび第２領域２２１Ｂの現像剤の状態に応じて、第１状態と第２状態とを切り替える制御を行う。現像剤循環状態を第１状態から第２状態とすることにより、第１領域２２１Ａにおける現像剤Ｔ２と第２領域２２１Ｂにおける現像剤Ｔ１が同じ現像剤循環路を流れるようになる。これにより、第１領域２２１Ａおよび第２領域２２１Ｂ全体での均一に現像剤が混ざりやすくなるとともに、一方の領域における現像剤の二層化を抑制することができる。
【００８９】
また、第１撹拌部材２２２および第２撹拌部材２２３の回転方向は、実施の形態に応じて任意に設定しても良い。
【００９０】
例えば、図１０Ｂに示すように、嵩密度の高い現像剤Ｔ１側から嵩密度の低い現像剤Ｔ２側に現像剤を循環させるような場合、嵩密度の低い現像剤Ｔ２の方が、流動性が良いので、嵩密度の高い現像剤Ｔ１よりも先に流れていく。そのため、現像剤が二層化することを抑制することができる。
【００９１】
また、図１０Ｃに示すように、嵩密度の低い現像剤Ｔ２側から嵩密度の高い現像剤Ｔ１側に現像剤を循環させるような場合、嵩密度の低い現像剤Ｔ２の方が、液面が高く、かつ、流動性が良いため、嵩密度の高い現像剤Ｔ２側に乗り上げるように移動する。そして、第１撹拌部材２２２又は第２撹拌部材２２３により速やかに撹拌されるので、現像剤が二層化することを抑制することができる。
【００９２】
次に、現像剤循環状態を第１状態から第２状態に切り替える際の制御について説明する。
現像剤循環状態が第１状態のとき、例えば、図１１に示すように、第１領域２２１Ａに対応する部分Ｓ１のトナー量が、第２領域２２１Ｂに対応する部分Ｓ２のトナー量よりも極端に多いトナー像Ｔを連続で形成した場合、第１領域２２１Ａにおいては、新しいトナーが補給されていくため、図１２に示すように、トナーの帯電量が目標帯電量（例えば、４０μＣ／ｇ）に近い値に維持される（実線Ｙ１参照）。
【００９３】
それに対し、第２領域２２１Ｂからはトナー消費がないため、現像剤筐体２２０から排出されずに第２領域２２１Ｂに止まるトナー量が多くなり、現像剤が劣化していく。そのため、第２領域２２１Ｂにおける現像剤はスペント、外添剤劣化、潤滑剤転移等が生じるので、トナーの帯電量が大きく低下してしまう（実線Ｙ２参照）。
【００９４】
トナーの帯電量が第１領域２２１Ａおよび第２領域２２１Ｂにおいて差が生じてしまうと、例えばハーフトーン画像を印刷する際、第１領域２２１Ａと第２領域２２１Ｂとで濃度に段差が生じてしまい、画像品質に欠陥が生じる。トナーの帯電量が低下する大きな要因は、キャリアーの劣化であるので、第１領域２２１Ａおよび第２領域２２１Ｂにおけるトナーの帯電量を均一化するためには、第１領域２２１Ａおよび第２領域２２１Ｂにおけるキャリアーの状態を均一化する必要がある。
【００９５】
そこで、本実施の形態では、制御部１００は、現像剤循環状態が第１状態である場合、液面高さ検出部２２６により検出された、第１領域２２１Ａにおける液面高さと、第２領域２２１Ｂにおける液面高さとの差分に応じて、現像剤循環状態を第１状態から第２状態に切り替えるか否かについて決定する。
【００９６】
具体的に、制御部１００は、第１領域２２１Ａにおける液面高さと、第２領域２２１Ｂにおける液面高さとの差分が第１閾値（例えば、１０ｍｍ）より大きい場合、現像剤循環状態を第１状態から第２状態にする。これにより、第１領域２２１Ａと、第２領域２２１Ｂとが開放され、現像剤筐体２２０の全体において現像剤が混合されるので、キャリアーの状態、つまり、現像剤の状態が均一化され、ひいてはトナーの帯電量が均一化される。これにより、第１領域２２１Ａおよび第２領域２２１Ｂにおいて、トナーの帯電量に差が生じにくくなるので、現像剤の状態を効率よく均一化させ、ひいては画像品質を安定化することができる。
【００９７】
次に、現像剤循環状態を第２状態から第１状態に切り替える際の制御について説明する。
現像剤循環状態が第２状態のときにおいて、図１１に示すようなトナー像Ｔを連続で形成した場合、第１領域２２１Ａに対応する部分におけるトナー濃度が低下するという問題が生じる。
【００９８】
具体的には、図１１に示すトナー像Ｔを連続で形成すると、第１領域２２１Ａにおけるトナーの消費量のみが極端に増える。そのため、図１３に示すように、第１領域２２１Ａにおけるトナー濃度は、軸方向におけるトナー補給部２２５の位置から離れる、つまり、軸方向の左端部から中央に向かうほど小さくなる（実線Ｙ３参照）。それに対し、第２領域２２１Ｂにおけるトナー濃度は、目標濃度（例えば、６．５％）と略同じ濃度のままとなる（実線Ｙ４参照）。
【００９９】
このように第１領域２２１Ａと第２領域２２１Ｂとが開放された場合、軸方向の片側半分にトナー量が集中した画像形成を行うと、軸方向におけるトナー濃度の偏差が大きくなってしまう。
【０１００】
そこで、本実施の形態では、制御部１００は、現像剤循環状態が第２状態である場合、トナー濃度検出部２２４により検出された、第１領域２２１Ａにおけるトナー濃度と、第２領域２２１Ｂにおけるトナー濃度との差分に応じて現像剤循環状態を第２状態から第１状態に切り替えるか否かについて決定する。
【０１０１】
具体的には、制御部１００は、第１領域２２１Ａにおけるトナー濃度と第２領域２２１Ｂにおけるトナー濃度との差分が第２閾値（例えば、０．５％）より大きいとき、現像剤循環状態を第２状態から第１状態にする。そして、制御部１００は、現像剤循環状態を第２状態から第１状態にした場合、第１領域２２１Ａおよび第２領域２２１Ｂのうち、トナー消費量の多い方、つまり、トナー濃度が小さい方の領域に、トナー補給量を大きくするようにトナー補給部２２５を制御する。
【０１０２】
例えば、図１３の場合、第１領域２２１Ａのみのトナー濃度が極端に低下しており、トナー濃度検出部２２４の位置で５％と検出する。それに対し、第２領域２２１Ｂにおけるトナー濃度は、トナー消費量がほとんどないため、軸方向において目標濃度と略同じ濃度となっている。そのため、第１領域２２１Ａにおけるトナー濃度と第２領域２２１Ｂにおけるトナー濃度との差分が１．５％となるので、第２閾値以上となる。
【０１０３】
この場合、制御部１００は、現像剤循環状態を第１状態とし、第１領域２２１Ａにトナー補給を行う。これにより、図１４に示すように、第１領域２２１Ａおよび第２領域２２１Ｂにおける現像剤の状態を効率よく、かつ、速やかに均一化させることができ（実線Ｙ５，Ｙ６参照）、ひいては現像装置２００の軸方向の全体における画像品質を安定化させることができる。
【０１０４】
一方、第１領域２２１Ａと第２領域２２１Ｂとが開放された構成の場合、時間が経過すると、第１領域２２１Ａにおける現像剤と第２領域２２１Ｂにおける現像剤とが混ざり合うので、第１領域２２１Ａにおけるトナー濃度の低下に起因して、全体的にトナー濃度が低下してしまう（破線Ｚ１，Ｚ２参照）。しかし、本実施の形態では、第１領域２２１Ａと第２領域２２１Ｂとが閉鎖されるため、第１領域２２１Ａおよび第２領域２２１Ｂの何れかに起因して、全体的にトナー濃度が低下することを抑制することができる。
【０１０５】
また、制御部１００は、現像剤循環状態を第１状態と第２状態との間で切り替える際に、第１撹拌部材２２２および第２撹拌部材２２３の動作を停止する。
【０１０６】
具体的には、現像剤循環状態が第１状態のときにおいて（図１５Ａ参照）、第１撹拌部材２２２および第２撹拌部材２２３は、それぞれの領域で矢印の回転方向に回転しているが、移動部材２４１を移動させる際、第１撹拌部材２２２および第２撹拌部材２２３の回転を停止する（図１５Ｂ参照）。これは、移動部材２４１を上方に移動させた際に、第１撹拌部材２２２および第２撹拌部材２２３を回転させたままにしていると、各領域における現像剤が現像剤筐体２２０の予期せぬ箇所に流れ込んでしまう可能性があるからである。
【０１０７】
そして、移動部材２４１を回転させた後、移動部材２４１を下に下げて第１撹拌部材２２２および第２撹拌部材２２３を動作させる（図１５Ｃ参照）。
【０１０８】
また、制御部１００は、第１撹拌部材２２２および第２撹拌部材２２３の回転数、つまり、回転速度を制御しても良い。具体的には、制御部１００は、第１領域２２１Ａの第１撹拌部材２２２Ａおよび第２撹拌部材２２３Ａの回転速度と、第２領域２２１Ｂの第１撹拌部材２２２Ｂおよび第２撹拌部材２２３Ｂの回転速度とを異ならせても良い。
【０１０９】
例えば、第１領域２２１Ａおよび第２領域２２１Ｂのうち、現像剤の液面高さが高い方の領域、つまり、トナーの帯電量が大きい方の領域における第１撹拌部材２２２および第２撹拌部材２２３の回転速度を、現像剤の液面高さが低い方の領域、つまり、トナーの帯電量が小さい方の領域における第１撹拌部材２２２および第２撹拌部材２２３の回転速度よりも大きくする制御を行う。
【０１１０】
このようにすることで、現像剤の液面高さが高い方の領域にある現像剤を、現像剤の液面高さが低い方の領域側に速やかに移動させることができるので、トナーの帯電量を速やかに均一化させることができる。
【０１１１】
また、制御部１００は、第１領域２２１Ａから現像スリーブ２１０に供給される現像剤量と、第２領域２２１Ｂから現像スリーブ２１０に供給される現像剤量との差分に応じて、第１状態と第２状態との間で現像剤循環状態を切り替える制御をしても良い。つまり、現像剤筐体２２０の第１領域２２１Ａに対応するトナー像のカバレッジと、現像剤筐体２２０の第２領域２２１Ｂに対応するトナー像とのカバレッジとの差分に応じて、現像剤循環状態を切り替える制御を行うか否かを決定しても良い。
【０１１２】
具体的には、制御部１００は、カバレッジの差分が例えば５０％より大きい場合、現像剤循環状態を切り替える制御を行う。第１領域２２１Ａと第２領域２２１Ｂとでトナーの消費量に差がある場合、第１領域２２１Ａにおける現像剤の状態と、第２領域２２１Ｂにおける現像剤の状態とに差が生じやすくなる。そのため、カバレッジの差分に応じて現像剤循環状態を切り替える制御の実行の有無を決定することにより、必用なときのみにおいて制御を行うので、効率よく制御を行うことができる。
【０１１３】
また、制御部１００は、後述する現像剤循環状態を第２状態とするとき、現像剤排出部２３０に向かうように第１撹拌部材２２２および第２撹拌部材２２３を制御することが望ましい。このようにすることで、第２状態における現像剤循環路の流れに沿って劣化した現像剤が現像剤排出部２３０に移動しやすくなるので、効率よく劣化した現像剤を現像剤筐体２２０から排出することができる。
【０１１４】
次に、画像形成装置１における現像剤循環状態切替制御の動作例について説明する。図１６は、画像形成装置１における現像剤循環状態切替制御の動作例の一例を示すフローチャートである。図１６における処理は、印刷ジョブ中において適宜実行される。
【０１１５】
図１６に示すように、制御部１００は、現像剤循環状態が第１状態であるか否かについて判定する（ステップＳ１０１）。判定の結果、現像剤循環状態が第１状態である場合（ステップＳ１０１、ＹＥＳ）、第１領域２２１Ａおよび第２領域２２１Ｂの現像剤の液面高さの差分を算出する（ステップＳ１０２）。
【０１１６】
次に、制御部１００は、現像剤の液面高さの差分が第１閾値より大きいか否かについて判定する（ステップＳ１０３）。判定の結果、現像剤の液面高さの差分が第１閾値以下である場合（ステップＳ１０３、ＮＯ）、処理はステップＳ１１２に遷移する。一方、現像剤の液面高さの差分が第１閾値より大きい場合（ステップＳ１０３、ＹＥＳ）、制御部１００は、第１撹拌部材２２２および第２撹拌部材２２３の動作を停止する（ステップＳ１０４）。
【０１１７】
次に、制御部１００は、現像剤循環状態を第１状態から第２状態に変更する（ステップＳ１０５）。その後、処理はステップＳ１１０に遷移する。
【０１１８】
ステップＳ１０１の判定に戻って、現像剤循環状態が第２状態である場合（ステップＳ１０１、ＮＯ）、第１領域２２１Ａおよび第２領域２２１Ｂのトナー濃度の差分を算出する（ステップＳ１０６）。
【０１１９】
次に、制御部１００は、トナー濃度の差分が第２閾値より大きいか否かについて判定する（ステップＳ１０７）。判定の結果、トナー濃度の差分が第２閾値以下である場合（ステップＳ１０７、ＮＯ）、処理はステップＳ１１２に遷移する。一方、トナー濃度の差分が第２閾値より大きい場合（ステップＳ１０７、ＹＥＳ）、制御部１００は、第１撹拌部材２２２および第２撹拌部材２２３の動作を停止する（ステップＳ１０８）。
【０１２０】
次に、制御部１００は、現像剤循環状態を第２状態から第１状態に変更する（ステップＳ１０９）。ステップＳ１０５およびステップＳ１０９の後、制御部１００は、第１領域２２１Ａの第１撹拌部材２２２Ａおよび第２撹拌部材２２３Ａの回転方向を変更する（ステップＳ１１０）。なお、ステップＳ１１０においては、第２領域２２１Ｂの第１撹拌部材２２２Ｂおよび第２撹拌部材２２３Ｂの回転方向を変更するように制御しても良い。
【０１２１】
次に、制御部１００は、第１撹拌部材２２２および第２撹拌部材２２３の動作を開始する（ステップＳ１１１）。次に、制御部１００は、印刷ジョブが終了したか否かについて判定する（ステップＳ１１２）。判定の結果、印刷ジョブが終了していない場合（ステップＳ１１２、ＮＯ）、処理はステップＳ１０１に戻り、印刷ジョブが終了した場合（ステップＳ１１２、ＹＥＳ）、制御部１００は、本制御を終了する。
【０１２２】
以上のように構成された本実施の形態によれば、第１領域２２１Ａおよび第２領域２２１Ｂにおける現像剤の状態に応じて、現像剤循環状態を制御するので、現像装置２００の軸方向全体における現像剤の状態を効率よく均一化させることができる。
【０１２３】
また、現像剤循環状態を第１状態から第２状態にすることで、現像剤を積極的に隣の領域に移動させることができるので、現像装置２００の軸方向全体における現像剤の状態を速やかに均一化させることができる。
【０１２４】
次に、第１変形例について説明する。
図１７Ａおよび図１７Ｂに示すように、第１変形例に係る移動部材２４１には、上記実施の形態のようなシャフト２４３が設けられておらず、外部の駆動が伝達される伝達ギヤー２５０の一部を噛み合うギヤー歯部２４１Ｂが形成されている。伝達ギヤー２５０が回転することにより、移動部材２４１が上下に移動する。移動部材２４１は、現像剤循環状態が第１状態の位置のとき、最も上側に位置し（図１７Ａ参照）、現像剤循環状態が第２状態の位置のとき、最も下側に位置する（図１７Ｂ参照）。
【０１２５】
また、第１変形例に係る移動部材２４１の下端部には、仕切り部材２４５が設けられている。仕切り部材２４５は、第１撹拌部材２２２が設けられた領域と、第２撹拌部材２２３が設けられた領域とを仕切る部材である。
【０１２６】
仕切り部材２４５は、第１領域２２１Ａにおける仕切り板２２７Ａと、第２領域２２１Ｂにおける仕切り板２２７Ｂとの間に対応する位置に位置しており（図１８Ａ参照）、現像剤循環状態が第２状態のとき、現像剤筐体２２０内において、仕切り板２２７Ａ，２２７Ｂの間に位置する（図１８Ｂ参照）。これにより、第１撹拌部材２２２の領域と、第２撹拌部材２２３の領域とが完全に仕切られる。
【０１２７】
このような構成によれば、上記実施の形態のように、現像剤循環状態を第１状態と第２状態との間で切り替える際、移動部材２４１を９０°回転させる動作がないため、現像剤循環状態切替制御を簡素化することができる。
【０１２８】
次に、第２変形例について説明する。
第１変形例では、移動部材２４１と仕切り部材２４５とが一体に構成されていたが、図１９Ａおよび図１９Ｂに示すように、第２変形例では、移動部材２４１と仕切り部材２４６とが別体で構成されている。
【０１２９】
仕切り部材２４６は、現像剤循環状態が第１状態のとき、例えば、現像剤筐体２２０の仕切り板２２７Ｂの位置に退避している。仕切り部材２４６は、現像剤循環状態が第２状態のとき、移動部材２４１が上側に移動する際に、仕切り板２２７Ａの位置から軸方向にスライド移動して、仕切り板２２７Ａ，２２７Ｂの間の位置に位置する。これにより、第１撹拌部材２２２の領域と、第２撹拌部材２２３の領域とが完全に仕切られる。なお、図１９Ａでは、仕切り部材２４６の図示を省略している。
【０１３０】
このような構成であっても、上記実施の形態のように、移動部材２４１を９０°回転させる動作がないため、現像剤循環状態切替制御を簡素化することができる。
【０１３１】
次に、第３変形例について説明する。
第１変形例および第２変形例では、仕切り部材２４５，２４６が設けられていたが、図２０Ａおよび図２０Ｂに示すように、仕切り部材２４５，２４６を設けない構成であっても良い。つまり、移動部材２４１は、第１領域２２１Ａと第２領域２２１Ｂとを閉鎖する閉鎖位置（図２０Ａ参照）と、閉鎖位置の上方に退避した開放位置（図２０Ｂ参照）とを移動する。これによれば、より簡易な構成とすることができる。
【０１３２】
次に、第４変形例について説明する。
上記実施の形態では、移動部材２４１が設けられていたが、本発明はこれに限定されず、図２１および図２２に示すように、移動部材２４１を設けない構成であっても良い。つまり、第４変形例では、第１領域２２１Ａと、第２領域２２１Ｂとが常時開放されており、第１領域２２１Ａおよび第２領域２２１Ｂのそれぞれの第１撹拌部材２２２および第２撹拌部材２２３の回転方向のみが制御される。
【０１３３】
具体的には、図２１に示すように、現像剤循環状態が第１状態のとき、現像剤の移動方向が矢印Ｘ１，Ｘ２となるように第１撹拌部材２２２および第２撹拌部材２２３の回転方向が制御される。また、図２２に示すように、現像剤循環状態が第２状態のとき、現像剤の移動方向が矢印Ｘ３となるように第１撹拌部材２２２および第２撹拌部材２２３の回転方向が制御される。
【０１３４】
このような構成によれば、現像剤循環状態を第１状態と第２状態との間で切り替える際、移動部材２４１を移動させる制御が必要なくなるため、現像剤循環状態切替制御を簡素化することができる。
【０１３５】
次に、第５変形例について説明する。
上記実施の形態では、現像剤循環状態が第１状態のときにおいて、第１領域２２１Ａにおける現像剤の循環方向と、第２領域２２１Ｂにおける現像剤の循環方向とが異なっていた。しかし、図２３に示すように、第５変形例では、現像剤循環状態が第１状態のときにおいて、第１領域２２１Ａの第１撹拌部材２２２Ａおよび第２撹拌部材２２３Ａにより形成される現像剤循環路の循環方向（矢印Ｘ１）と、第２領域２２１Ｂの第１撹拌部材２２２Ｂおよび第２撹拌部材２２３Ｂにより形成される現像剤循環路の循環方向（矢印Ｘ２）とが同じ方向（図示時計回り方向）になっている。
【０１３６】
このため、図２４に示すように、現像剤循環状態を第２状態としたとき、第１撹拌部材２２２および第２撹拌部材２２３の回転方向を制御する必要がなくなる。具体的には、図１６におけるフローチャートにおいて、ステップＳ１０４，Ｓ１０８，Ｓ１１０，Ｓ１１１の制御が不要となる。つまり、移動部材２４１が移動する際においても、第１撹拌部材２２２および第２撹拌部材２２３の動作を停止することなく、スムーズに現像剤筐体２２０内の現像剤の撹拌動作を行うことができる。
【０１３７】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【０１３８】
本発明は、画像形成装置を含む複数のユニットで構成される画像形成システムに適用できる。複数のユニットには、例えば後処理装置、ネットワーク接続された制御装置等の外部装置が含まれる。
【０１３９】
最後に、本実施の形態に係る画像形成装置１の評価実験について説明する。
まず、現像剤循環状態を第２状態とすることについての効果確認を行った。具体的には、図１１に示すトナー像Ｔを連続で１０００枚画像形成した後に、用紙全面にハーフトーンの画像形成を行った場合における画像濃度に段差の発生の有無を確認した。実施例としては現像剤循環状態を第２状態とし、比較例としては現像剤循環状態を第１状態とした。表１に実施例および比較例における実験結果を示す。
【０１４０】
【表１】
2018063366.tif 000003
【０１４１】
表１における「○」は、画像濃度に段差が発生しなかったことを示している。また、「×」は、画像濃度に段差が発生したことを示している。
【０１４２】
表１に示すように、比較例においては、ハーフトーン画像濃度において段差が発生したことが確認された。それに対し、実施例では、ハーフトーン画像濃度において段差が発生することなく、良好な画像品質のものが得られたことを確認できた。
【０１４３】
次に、現像剤循環状態を第１状態とすることについての効果確認を行った。具体的には、図１１に示すトナー像Ｔを連続で１０００枚画像形成した後に、用紙全面にハーフトーンの画像形成を行った場合における画像濃度に段差の発生の有無および、初期状態の濃度低下の有無を確認した。実施例としては現像剤循環状態を第１状態とし、比較例としては現像剤循環状態を第２状態とした。表１に実施例および比較例における実験結果を示す。
【０１４４】
【表２】
2018063366.tif 000004
【０１４５】
表２における「○」は、画像濃度に段差が発生しなかったこと、又は、初期状態の濃度低下が発生しなかったことを示している。また、「×」は、画像濃度に段差が発生したこと、又は、初期状態の濃度低下が発生したことを示している。
【０１４６】
表２に示すように、比較例においては、ハーフトーン画像濃度において段差が発生し、かつ、初期状態から、画像全体において濃度低下が発生したことが確認された。それに対し、実施例では、ハーフトーン画像濃度において段差が発生することなく、かつ、初期状態から、画像全体において濃度低下が発生することなく良好な画像品質のものが得られたことを確認できた。
【符号の説明】
【０１４７】
１  画像形成装置
１００  制御部
２００  現像装置
２１０  現像スリーブ
２２０  現像剤筐体
２２１Ａ  第１領域
２２１Ｂ  第２領域
２２２  第１撹拌部材
２２３  第２撹拌部材
２２４  トナー濃度検出部
２２５  トナー補給部
２２６  液面高さ検出部
２３０  現像剤排出部
２４０  開閉部
【図１】
2018063366.tif 000005
【図２】
2018063366.tif 000006
【図３】
2018063366.tif 000007
【図４】
2018063366.tif 000008
【図５】
2018063366.tif 000009
【図６】
2018063366.tif 000010
【図７】
2018063366.tif 000011
【図８】
2018063366.tif 000012
【図９】
2018063366.tif 000013
【図１０】
2018063366.tif 000014
【図１１】
2018063366.tif 000015
【図１２】
2018063366.tif 000016
【図１３】
2018063366.tif 000017
【図１４】
2018063366.tif 000018
【図１５】
2018063366.tif 000019
【図１６】
2018063366.tif 000020
【図１７】
2018063366.tif 000021
【図１８】
2018063366.tif 000022
【図１９】
2018063366.tif 000023
【図２０】
2018063366.tif 000024
【図２１】
2018063366.tif 000025
【図２２】
2018063366.tif 000026
【図２３】
2018063366.tif 000027
【図２４】
2018063366.tif 000028